(57)【特許請求の範囲】
【請求項１】
前ベッド基枠とこの前ベッド基枠に回動自在に連結された後ベッド基枠と、上記前ベッド基枠と上記後ベッド基枠それぞれに載置されると共に少なくとも一方が起伏可能に形成されたベッド床面板とを備え、上記前ベッド基枠と上記ベッド床面板で構成された前ベッド半体と上記後ベッド基枠と上記ベッド床面板で構成された後ベッド半体を水平展開自在、かつ該前ベッド半体の裏面側と該後ベッド半体の裏面側が相互に近接する側面視倒立Ｖ字型に折畳み自在に形成された折畳みベッドにおいて、上記折畳みベッドが折畳まれたときに、少なくともいずれか一方の上記ベッド床面板が床面に略平行に起伏されるとともに固定され、上記ベッド床面板に、着脱自在または折畳み式の補助脚を備えていることを特徴とする折畳みベッド。
【発明の詳細な説明】
【技術分野】
【０００１】  本発明は、折畳み可能に形成された折畳みベッドに関する。
【背景技術】
【０００２】  従来、上半身を載せる前ベッド半体と、下半身を載せる後ベッド半体とを、側面視倒立Ｖ字型に折畳み自在として枢結した折畳み式ベッドは、例えば、特許文献１、登録実用新案第３００３３８５号公報に開示されている。
【先行技術文献】
【特許文献】
【０００３】
【特許文献１】  登録実用新案第３００３３８５号公報
【発明の概要】
【発明が解決しようとする課題】
【０００４】  上記特許文献１に開示されている折畳み式ベッドの場合、不使用時には、コンパクトに収納できるが、机は別に用意しなければならないという課題があった。【０００５】  本発明は、上記のような問題点を解決するためになされたもので、ベッドを使用しないときは、折畳んで、机として使用できることを目的とする。
【課題を解決するための手段】
【０００６】  前ベッド基枠とこの前ベッド基枠に回動自在に連結された後ベッド基枠と、上記前ベッド基枠と上記後ベッド基枠それぞれに載置されると共に少なくとも一方が起伏可能に形成されたベッド床面板とを備え、上記前ベッド基枠と上記ベッド床面板で構成された前ベッド半体と上記後ベッド基枠と上記ベッド床面板で構成された後ベッド半体を水平展開自在、かつ該前ベッド半体の裏面側と該後ベッド半体の裏面側が相互に近接する側面視倒立Ｖ字型に折畳み自在に形成された折畳みベッドにおいて、上記折畳みベッドが折畳まれたときに、少なくともいずれか一方の上記ベッド床面板が床面に略平行に起伏されるとともに固定されることを特徴とする折畳みベッド。【０００７】  また、ベッド床面板を床面と平行に起伏、固定したとき、ベッド本体が倒れないような脚構造、または補助脚を備える。
【発明の効果】
【０００８】  本発明により、ベッドを使用しないときは、折り畳んで机として使用できるので、机を別に用意する必要がなくなり、スペースを有効に活用できる。
【図面の簡単な説明】
【０００９】
【図１】  本発明の実施例にかかる折畳みベッドの斜視図である。
【図２】  図１の側面図である。
【図３】  図２の折畳み途中の側面図である。
【図４】  図２の折畳み完了時の側面図である。
【図５】  本発明の実施例１にかかる折畳みベッドの側面図である。
【図６】  本発明の実施例１にかかる折畳みベッドの側面図である。
【図７】  本発明の実施例１にかかる折畳みベッドの側面図である。
【図８】  本発明の実施例２にかかる折畳みベッドの側面図である。
【図９】  本発明の実施の形態にかかる折畳みベッドの机としての使用例である。
【発明を実施するための形態】
【実施例１】
【００１０】  図１は、本発明の折畳みベッドの実施例を示し、この折畳みベッドは、前ベッド基枠５とこの前ベッド基枠に回動自在に連結された後ベッド基枠６と、前ベッド基枠５と後ベッド基枠６に載置されると共に少なくとも一方が起伏可能に形成されたベッド床面板３，４とを備え、上記前ベッド基枠５とベッド床面板３で構成された前ベッド半体１と後ベッド基枠６とベッド床面板４で構成された後ベッド半体２を備えている。前ベッド半体１は、固定支持脚７、後ベッド半体２は可動支持脚８、前ベッド半体１と後ベッド半体２の連結部は中間支持脚９を備える。固定支持脚７は、固定支持脚上部７ａと固定支持脚下部７ｂを有し、それぞれに車輪１０を設けている。可動支持脚８は、固定支持脚台座８ａと固定支持脚板８ｂを有し、固定支持脚台座８ａは車輪１０を設けている。図２，３，４に示すように、この前ベッド半体１と後ベッド半体２は、水平展開自在であり、かつ、側面視倒立Ｖ字型に折畳み自在として、枢着される。可動支持脚８の固定支持脚板８ｂは後ベッド基枠６の後端部を回動自在に軸支されている。【００１１】  図５は、本発明の実施例１にかかる側面図である。前ベッド床面板起伏可能部３ａまたは後ベッド床面板起伏可能部４ａは、支軸１１を支点として上下回動して、図５に示すように、床面に平行に起伏可能であり、かつ、支軸１１に、例えば任意の位置に固定可能とするラチェット機構を設けて、略直角位置で固定可能とする。【００１２】  図６は、本発明の実施例１にかかる側面図である。前ベッド床面板起伏可能部３ａは、支軸１１を支点として上下回動して、図６に示すように、床面に平行に起伏可能であり、かつ、支持材１２を設けて、略直角位置で固定可能とする。後ベッド床面板起伏可能部４ａも同様である。【００１３】  図７は、本発明の実施例１にかかる側面図である。前ベッド床面板起伏可能部３ａは、床面に平行な状態で固定されており、ベッド本体が倒れないように、固定支持脚上部７ａまたは可動支持脚台座８ａの長さ寸法Ｌが前ベッド床面板起伏可能部３ａの長さ寸法Ｗに対して、Ｗ／２  ≦  Ｌ  ≦  Ｗ  の長さにする。以上により構成された本発明による実施の形態にかかる折畳みベッドによれば、ベッドを使用しないときに、安定した机として使用することができる。
【実施例２】
【００１４】  図８は、本発明の実施例２にかかる側面図である。前ベッド床面板起伏可能部３ａは、床面に平行なＬ字状で固定されており、ベッド本体が倒れないように、前ベッド床面板起伏可能部３ａに着脱自在または折畳み式の補助脚１３を設ける。以上により構成された、本発明による実施の形態にかかる折畳みベッドによれば、ベッドを使用しないときに、安定した机として使用することができる。【００１５】  図９は、本発明の実施の形態にかかる折畳みベッドの机としての使用状態を示す。
【符号の説明】
【００１６】  １  前ベッド半体、２  後ベッド半体、３  前ベッド床面板、３ａ  前ベッド床面板起伏可能部、４  後ベッド床面板、４ａ  後ベッド床面板起伏可能部、５  前ベッド基枠、６  後ベッド基枠、７  固定支持脚、７ａ  固定支持脚下部、７ｂ  固定支持脚上部、８可動支持脚、８ａ  可動支持脚台座、８ｂ  可動支持脚板、９  中間支持脚、１０  車輪、１１  支軸、１２  支持材、１３  補助脚  Ｗ  長さ寸法、Ｌ  長さ寸法。
【要約】
【課題】  従来の折畳み式ベッドは、不使用時には、コンパクトに収納できるが、机は別に用意しなければならないという課題があった。
【解決手段】  ２枚のベッド床面板３，４とベッド床面板が載置状に取り付けられるベッド基枠５，６とからなる上半身を載せる前ベッド半体１と、下半身を載せる後ベッド半体２とを備え、該前ベッド半体及び該後ベッド半体は、水平展開自在、かつ、上記前ベッド半体の裏面側と上記後ベッド半体の裏面側が、相互に近接する側面視倒立Ｖ字型に折畳み自在として枢着され、折り畳んだ時に、ベッド床面板の少なくともいずれか一方が、床面と並行に起伏、固定するように構成されている。また、ベッド床面板起伏可能部を床面と平行に固定したとき、ベッド本体が倒れないような脚構造、または補助脚１３を備えた。
【選択図】図９【図１】
0005608875.tif 000002
【図２】
0005608875.tif 000003
【図３】
0005608875.tif 000004
【図４】
0005608875.tif 000005
【図５】
0005608875.tif 000006
【図６】
0005608875.tif 000007
【図７】
0005608875.tif 000008
【図８】
0005608875.tif 000009
【図９】
0005608875.tif 000010